(57)【要約】      （修正有）【課題】放熱が可能なハウジングを備えた光ピックアップ装置を低コストで提供する。【解決手段】レーザダイオード１１、２１と、レーザ光を光ディスク上に集光させる対物レンズと、光ディスクからの反射光が照射される光検出器３１と、レーザダイオード１１、２１から対物レンズへレーザ光を案内する第１光学部品と、対物レンズから光検出器３１へ反射光を案内する第２光学部品と、レーザダイオード１１，２１と、光検出器３１と、第１及び第２光学部品を構成する部品のうちの所定部品とが載置される金属製の第１ハウジングと、前記所定部品を除く部品とが載置される樹脂製の第２ハウジングとを備え、第１ハウジングと第２ハウジングとは、レーザダイオード１１，２１と対物レンズとの間にレーザ光の第１光路が形成されるとともに、対物レンズと光検出器３１との間に反射光の第２光路が形成されるように結合される。【選択図】図１
2013254551.tif 000002
【特許請求の範囲】
【請求項１】
レーザ光を出射するレーザダイオードと、
前記レーザ光を光ディスクの信号記録面に集光させる対物レンズと、
前記光ディスクで反射された前記レーザ光の反射光が照射される光検出器と、
前記レーザダイオードから前記対物レンズへ前記レーザ光を案内する第１光学部品と、
前記対物レンズから前記光検出器へ前記反射光を案内する第２光学部品と、
前記レーザダイオードと、前記光検出器と、前記第１及び第２光学部品を構成する部品のうちの所定部品と、が載置される金属製の第１ハウジングと、
前記対物レンズと、前記第１及び第２光学部品を構成する部品のうちの前記所定部品を除く部品と、が載置される樹脂製の第２ハウジングと、
を備え、
前記第１ハウジングと前記第２ハウジングとは、
前記レーザダイオードと前記対物レンズとの間に前記レーザ光の第１光路が形成されるとともに、前記対物レンズと前記光検出器との間に前記反射光の第２光路が形成されるように結合される
ことを特徴とする光ピックアップ装置。
【請求項２】
前記第１ハウジングにおける前記第２ハウジングと対向する第１対向辺と、前記第２ハウジングにおける前記第１ハウジングと対向する第２対向辺とは、前記光ディスクのフォーカス方向に沿って互いに重なり合って結合される形状を呈している
ことを特徴とする請求項１に記載の光ピックアップ装置。
【請求項３】
前記第１及び第２対向辺のフォーカス方向に沿って互いに対向する対向面には、
前記第１及び第２ハウジングが結合される際の前記第１及び第２ハウジングの相対位置を決定するための嵌合部材が設けられる
ことを特徴とする請求項２に記載の光ピックアップ装置。
【請求項４】
前記第１及び第２対向辺のフォーカス方向に沿って互いに対向する対向面は、接着剤で接着される
ことを特徴とする請求項２又は３に記載の光ピックアップ装置。
【請求項５】
前記第２ハウジングは、
前記光ディスクのタンジェンシャル方向において前記第１ハウジングと隣り合う第１領域と、
前記光ディスクのトラッキング方向において前記第１ハウジングと隣り合う第２領域と、を有し、
前記タンジェンシャル方向における前記第１領域の前記第２領域とは反対側の端部と、前記タンジェンシャル方向における前記第２領域の前記第１領域とは反対側の端部とには、前記光ディスクのラジアル方向に沿って前記光ピックアップ装置を移動させるための一対のシャフトを支持する支持部材が設けられる
ことを特徴とする請求項１乃至４の何れかに記載の光ピックアップ装置。
【請求項６】
前記第１ハウジングには、前記所定部品として、前記第１光路上で前記レーザ光を前記レーザダイオードから前記対物レンズへ案内するとともに、前記第２光路上で前記反射光を前記対物レンズから前記光検出器へ案内するべく前記レーザダイオードと前記光検出器とを別光路に分離する第１ビームスプリッタが載置される
ことを特徴とする請求項１乃至５の何れかに記載の光ピックアップ装置。
【請求項７】
前記第１ハウジングには、前記レーザダイオードとして、第１波長の第１レーザ光を出射する第１レーザダイオードと、前記第１波長とは異なる第２波長の第２レーザ光を前記第１レーザダイオードとは相補的に出射する第２レーザダイオードとが載置され、
前記第１ハウジングには、前記所定部品として、前記第１及び第２レーザ光を前記第１ビームスプリッタへ案内する第２ビームスプリッタが更に載置される
ことを特徴とする請求項６に記載の光ピックアップ装置。
【発明の詳細な説明】
【技術分野】
【０００１】
本発明は、ハウジングに光学部品を載置して構成される光ピックアップ装置に関する。
【背景技術】
【０００２】
例えば、レーザ光を出射するレーザダイオード等の光ピックアップ装置を構成する部品と、当該部品が載置されるハウジングとを含んで構成される光ピックアップ装置が知られている（特許文献１）。
【先行技術文献】
【特許文献】
【０００３】
【特許文献１】特開２００９−３７６７１号公報
【発明の概要】
【発明が解決しようとする課題】
【０００４】
例えば、特許文献１の光ピックアップ装置の軽量化のために、当該光ピックアップ装置のハウジングとして、樹脂によって一体的に形成された樹脂製ハウジングが用いられることがある。その場合、樹脂製ハウジングに載置されたレーザダイオードで発生する熱を放散するために、光ピックアップ装置を構成する部品として、例えば、樹脂製ハウジングとは別に金属製の放熱板を設ける必要がある。このために、例えば、放熱板の厚み分だけ光ピックアップ装置の厚みが増したり、放熱板を設けて部品点数が増加した分だけ光ピックアップ装置の製造コストが上昇したりする虞がある。
【課題を解決するための手段】
【０００５】
前述した課題を解決する主たる本発明は、レーザ光を出射するレーザダイオードと、前記レーザ光を光ディスクの信号記録面に集光させる対物レンズと、前記光ディスクで反射された前記レーザ光の反射光が照射される光検出器と、前記レーザダイオードから前記対物レンズへ前記レーザ光を案内する第１光学部品と、前記対物レンズから前記光検出器へ前記反射光を案内する第２光学部品と、前記レーザダイオードと、前記光検出器と、前記第１及び第２光学部品を構成する部品のうちの所定部品と、が載置される金属製の第１ハウジングと、前記対物レンズと、前記第１及び第２光学部品を構成する部品のうちの前記所定部品を除く部品と、が載置される樹脂製の第２ハウジングと、を備え、前記第１ハウジングと前記第２ハウジングとは、前記レーザダイオードと前記対物レンズとの間に前記レーザ光の第１光路が形成されるとともに、前記対物レンズと前記光検出器との間に前記反射光の第２光路が形成されるように結合されることを特徴とする光ピックアップ装置である。
【０００６】
本発明の他の特徴については、添付図面及び本明細書の記載により明らかとなる。
【発明の効果】
【０００７】
本発明によれば、放熱が可能なハウジングを備えた光ピックアップ装置を低コストで提供できる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態に係る光ピックアップ装置を示す斜視図である。
【図４】本発明の実施形態に係る、光ディスクと対向する側から見た状態のハウジングを示す分解斜視図である。
【図５】本発明の実施形態に係る、光ディスクと対向する側とは反対側から見た状態のハウジングを示す分解斜視図である。
【図６】本発明の実施形態に係る、光ディスクと対向する側から見た状態のハウジングを示す斜視図である。
【図７】本発明の実施形態に係る、光ディスクと対向する側とは反対側から見た状態のハウジングを示す斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。  
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。光ピックアップ装置１００は、第２光ディスク５Ｂ、第３光ディスク５Ｃに照射される第１レーザ光の光路に沿った第１光学系と、第１光ディスク５Ａに照射される第２レーザ光の光路に沿った第２光学系を有する。
【００１１】
＝＝＝第１光学系＝＝＝
以下、図１、図２を参照して、本実施形態における光ピックアップ装置の第１光学系について説明する。
【００１２】
第１光学系は、ＤＶＤ規格及びＣＤ規格用の光学系であり、第１レーザ光源１１（レーザダイオード）、回折格子１２、第２ビームスプリッタ４１（キューブ型ビームスプリッタ）、第１ビームスプリッタ４２（プレート型ビームスプリッタ）、フロントモニタダイオード４３、１／４波長板４４、コリメートレンズ４５、第１立ち上げミラー４６、第１対物レンズ６１１、ホログラム光学素子３３、アナモフィックレンズ３２、光検出器３１（「第１光学系の光学素子」とも称する）から構成される。
【００１３】
第１レーザ光源１１は、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長の、異なる２波長の第１レーザ光を選択的に出射する。第１レーザ光源１１は、例えば６５５ｎｍの波長の第１レーザ光を出射する第１レーザダイオード１１１と、例えば７８５ｎｍの波長の第１レーザ光を出射する第１レーザダイオード１１２とを有する。
【００１４】
回折格子１２は、第１レーザ光源１１が出射した第１レーザ光から、０次光、＋１次回折光、−１次回折光を生成する。
【００１５】
第２ビームスプリッタ４１は、例えば、赤色波長帯及び赤外波長帯のＰ偏光のレーザ光を透過し、赤色波長帯及び赤外波長帯のＰ偏光以外のレーザ光を反射する。第２ビームスプリッタ４１は、回折格子１２から入射する赤色波長帯又は赤外波長帯のＰ偏光の第１レーザ光を透過する。尚、第１レーザダイオード１１１、１１２は、第１レーザ光として例えば第２ビームスプリッタ４１のコーティング膜に対してＰ偏光のレーザ光を出射するものとする。
【００１６】
第１ビームスプリッタ４２は、例えば、Ｐ偏光のレーザ光を反射し、Ｓ偏光のレーザ光を透過する。第１ビームスプリッタ４２は、第２ビームスプリッタ４１から入射するＰ偏光の第１レーザ光を１／４波長板４４の方向へ反射する。このとき、第１ビームスプリッタ４２は、第１レーザ光の強度を調整するために、第１レーザ光の一部をフロントモニタダイオード４３の方向に透過するものとする。尚、フロントモニタダイオード４３は、第１ビームスプリッタ４２から入射された第１レーザ光の一部に基づいて、第１レーザ光の強度を調整するための光学部品である。又、１／４波長板４４から入射する第１レーザ光の反射光は、例えば、第２光ディスク５Ｂ又は第３光ディスク５Ｃで反射してＳ偏光のレーザ光となっている。よって、第１ビームスプリッタ４２は、第１レーザ光の反射光をホログラム光学素子３３の方向へ透過する。つまり、第１ビームスプリッタ４２は、第１レーザダイオード１１１、１１２、第２レーザダイオード２１１と、光検出器３１とをそれぞれ別光路に分離する機能を有することとなる。
【００１７】
１／４波長板４４は、第１ビームスプリッタ４２から入射する第１レーザ光を、直線偏光光から円偏光光に変換する。又、１／４波長板４４は、コリメートレンズ４５から入射する第１レーザ光の反射光を、円偏光光から直線偏光光に変換する。
【００１８】
コリメートレンズ４５は、１／４波長板４４から入射する第１レーザ光を平行光に変換する。
【００１９】
第１立ち上げミラー４６は、コリメートレンズ４５から入射する第１レーザ光を、第２光ディスク５Ｂ又は第３光ディスク５Ｃの信号記録面に垂直な方向に反射する。又、第１立ち上げミラー４６は、第１対物レンズ６１１から入射する第１レーザ光の反射光を、コリメートレンズ４５の方向に反射する。尚、第１立ち上げミラー４６は、例えば、赤色波長帯及び赤外波長帯のレーザ光を反射し、赤色波長帯及び赤外波長帯以外のレーザ光を透過する波長選択性を有しているものとする。
【００２０】
第１対物レンズ６１１は、第１立ち上げミラー４６から入射した第１レーザ光を、第２光ディスク５Ｂ又は第３光ディスク５Ｃの信号記録面における信号記録層に集光する。
【００２１】
第２光ディスク５Ｂ又は第３光ディスク５Ｃの信号記録層で反射した第１レーザ光の反射光は、第１対物レンズ６１１によって平行光に変換された後、第１立ち上げミラー４６、コリメートレンズ４５を介して１／４波長板４４に入射し、１／４波長板４４によって円偏光光から直線偏光光に変換される。直線偏光光となった第１レーザ光の反射光は、第１ビームスプリッタ４２を介してホログラム光学素子３３に入射する。
【００２２】
ホログラム光学素子３３は、例えば、第２光ディスク５Ｂにおける第１レーザ光が集光された信号記録層以外の信号記録層からの反射光が光検出器３１に入射しないように、第１レーザ光の反射光の光路を調整する。
【００２３】
アナモフィックレンズ３２は、ホログラム光学素子３３から入射した第１レーザ光の反射光を、光検出器３１に集光させるとともに、第１レーザ光の反射光にフォーカスエラー信号を生成するのに用いられる非点収差を発生させる。尚、フォーカスエラー信号とは、例えば、レンズホルダ６１（図３）を対物レンズ６１１の光軸方向（図３のＺ軸）に変位させる際に用いられる信号である。
【００２４】
光検出器３１は、アナモフィックレンズ３２から入射される第１レーザ光の反射光を光電変換する。つまり、光検出器３１は、第２光ディスク５Ｂ又は第３光ディスク５Ｃで反射された第１レーザ光の反射光が照射され、当該照射された第１レーザ光の反射光を光電変換する。
【００２５】
＝＝＝第２光学系＝＝＝
以下、図１、図２を参照して、本実施形態における光ピックアップ装置の第２光学系について説明する。
【００２６】
第２光学系は、ＢＤ規格用の光学系であり、第２レーザ光源２１（レーザダイオード）、１／２波長板２２、第２ビームスプリッタ４１、第１ビームスプリッタ４２、フロントモニタダイオード４３、１／４波長板４４、コリメートレンズ４５、第２立ち上げミラー４７、第２対物レンズ６１２、ホログラム光学素子３３、アナモフィックレンズ３２、光検出器３１（「第２光学系の光学素子」とも称する）から構成される。尚、例えば、第２ビームスプリッタ４１、第１ビームスプリッタ４２、フロントモニタダイオード４３、１／４波長板４４、コリメートレンズ４５、ホログラム光学素子３３、アナモフィックレンズ３２、光検出器３１は、第１光学系と第２光学系で共通に用いられることになる。
【００２７】
第２レーザ光源２１は、第１レーザ光源１１が発生する第１レーザ光の波長とは異なる、第１光ディスク５Ａに照射する青色波長帯（３９５ｎｍ〜４２０ｎｍ）のうち例えば４０５ｎｍの波長の第２レーザ光を、第１レーザ光とは相補的に発生する。第２レーザ光源２１は、例えば４０５ｎｍの波長の第２レーザ光を発生する第２レーザダイオード２１１を有する。
【００２８】
１／２波長板２２は、直線偏光光である第２レーザ光を例えばＰ偏光の直線偏光光に変換する。
【００２９】
第２ビームスプリッタ４１は、１／２波長板２２から入射する青色波長帯のＰ偏光の第１レーザ光を第１ビームスプリッタ４２の方向に反射する。
【００３０】
第１ビームスプリッタ４２は、第２ビームスプリッタ４１から入射するＰ偏光の第２レーザ光を１／４波長板４４の方向へ反射する。このとき、第１ビームスプリッタ４２は、第２レーザ光の強度を調整するために、第２レーザ光の一部をフロントモニタダイオード４３の方向に透過するものとする。又、１／４波長板４４から入射する第２レーザ光の反射光は、例えば、第１光ディスク５Ａで反射してＳ偏光のレーザ光となっている。よって、第１ビームスプリッタ４２は、第２レーザ光の反射光をホログラム光学素子３３の方向へ透過する。
【００３１】
１／４波長板４４は、第１ビームスプリッタ４２から入射する第２レーザ光を、直線偏光光から円偏光光に変換する。又、１／４波長板４４は、コリメートレンズ４５から入射する第２レーザ光の反射光を、円偏光光から直線偏光光に変換する。
【００３２】
コリメートレンズ４５は、１／４波長板４４から入射する第２レーザ光を平行光に変換する。コリメートレンズ４５で平行光に変換された第２レーザ光は、第１立ち上げミラー４６を透過して第２立ち上げミラー４７に照射される。  
第２立ち上げミラー４７は、コリメートレンズ４５から入射する第２レーザ光を、第１光ディスク５Ａの信号記録面に垂直な方向に反射する。又、第２立ち上げミラー４７は、第２対物レンズ６１２から入射する第２レーザ光の反射光を、コリメートレンズ４５の方向に反射する。
【００３３】
第２対物レンズ６１２は、第２立ち上げミラー４７から入射した第２レーザ光を、第１光ディスク５Ａの信号記録面における信号記録層に集光する。
【００３４】
第２光ディスク５Ａの信号記録層で反射した第２レーザ光の反射光は、第２対物レンズ６１２によって平行光に変換された後、第２立ち上げミラー４７、第１立ち上げミラー４６、コリメートレンズ４５を介して１／４波長板４４に入射し、１／４波長板４４によって円偏光光から直線偏光光に変換される。直線偏光光となった第２レーザ光の反射光は、第１ビームスプリッタ４２を介してホログラム光学素子３３に入射する。
【００３５】
ホログラム光学素子３３は、例えば、第２光ディスク５Ａにおける第２レーザ光が集光された信号記録層以外の信号記録層からの反射光が光検出器３１に入射しないように、第２レーザ光の反射光の光路を調整する。
【００３６】
アナモフィックレンズ３２は、ホログラム光学素子３３から入射した第２レーザ光の反射光を、光検出器３１に集光させるとともに、第２レーザ光の反射光に非点収差を発生させてフォーカスエラー信号を生成する。
【００３７】
光検出器３１は、アナモフィックレンズ３２から入射される第２レーザ光の反射光を光電変換する。つまり、光検出器３１は、第１光ディスク５Ａで反射された第２レーザ光の反射光が照射され、当該照射された第２レーザ光の反射光を光電変換する。
【００３８】
尚、光ディスクに向かうレーザ光の往路光路上の回折格子１２、１／２波長板２２、第２ビームスプリッタ４１、第１ビームスプリッタ４２、１／４波長板４４、コリメートレンズ４５、第１立ち上げミラー４６、第２立ち上げミラー４７が、第１光学部品に相当する。光ディスクから反射されたレーザ光の復路光路上の第２立ち上げミラー４７、第１立ち上げミラー４６、コリメートレンズ４５、１／４波長板４４、第１ビームスプリッタ４２、ホログラム光学素子３３、アナモフィックレンズ３２が、第２光学部品に相当する。第１レーザ光源１１と第１対物レンズ６１１との間の第１レーザ光の光路、及び、第２レーザ光源２１と第２対物レンズ６１２との間の第２レーザ光の光路が第１光路に相当する。第１対物レンズ６１１と光検出器３１との間の第１レーザ光の反射光の光路、及び、第２対物レンズ６１２と光検出器３１との間の第２レーザ光の反射光の光路が第２光路に相当する。
【００３９】
＝＝＝光ピックアップ装置＝＝＝
以下、図３を参照して、本実施形態における光ピックアップ装置について説明する。図３は、本実施形態における光ピックアップ装置を示す斜視図である。尚、トラッキングコイル６８Ａ、６８Ｂ、１／２波長板２２、ホログラム光学素子３３、１／４波長板４４、コリメートレンズ４５は、見えない状態となっているが、説明の便宜上、点線で示されている。光ディスク５を回転させるためのスピンドルモータ（不図示）の回転軸５１Ｃは、説明の便宜上、一点鎖線で示されている。光ディスク５、シャフト５１０、５１１は、一部が省略された状態で、点線で示されている。
【００４０】
光ピックアップ装置１００は、ハウジング８００、アクチュエータ７、レンズホルダ６１、第１光学系の光学素子、第２光学系の光学素子を有する。尚、本実施形態において、Ｚ軸は、光ディスク５を回転させるスピンドルモータの回転軸５１Ｃの長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂ、第３光ディスク５Ｃのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５１Ｃから離れる方向を＋Ｘ方向とし、光ピックアップ装置１００が回転軸５１Ｃに近づく方向を−Ｘ方向とする。Ｙ軸は、光ディスク５のタンジェンシャル方向に沿う軸であり、第２ハウジング８２から第１ハウジング８１に向かう方向を＋Ｙ方向とし、第１ハウジング８１から第２ハウジング８２に向かう方向を−Ｙ方向とする。
【００４１】
レンズホルダ６１は、第１対物レンズ６１１及び第２対物レンズ６１２を保持する。レンズホルダ６１の光ディスク５と対向する保持面６１Ｃには、第１対物レンズ６１１、第２対物レンズ６１２が、光ディスク５の信号記録面と対向するように取り付けられる。第１対物レンズ６１１、第２対物レンズは、光ディスク５のタンジェンシャル方向に沿って隣り合うように保持面６１Ｃに取り付けられる。レンズホルダ６１には、レンズホルダ６１に対してサスペンションワイヤ６３Ａ、６３Ｂを取り付けるための突出板７１Ａ、７２Ａ、７１Ｂ、７２Ｂが設けられている。尚、サスペンションワイヤ６３Ａ、６３Ｂについては、後述する。突出板７１Ａ、７２Ａは、脚板６１Ａの外側（−Ｘ）の面からトラッキング方向における回転軸５１Ｃに近づく方向（−Ｘ）に突出するように脚板６１Ａに設けられる。突出片７１Ａは、例えばタンジェンシャル方向における第１ハウジング８１側（＋Ｙ）の端部に設けられる。突出片７２Ａは、例えばタンジェンシャル方向における突出片７１Ａよりも第１ハウジング８１から離れる側（−Ｙ）に設けられる。突出板７１Ｂ、７２Ｂは、脚板６１Ｂの外側（＋Ｘ）の面からトラッキング方向における回転軸５１Ｃに離れる方向（＋Ｘ）に突出するように脚板６１Ｂに設けられる。突出片７１Ｂは、例えばタンジェンシャル方向における第１ハウジング８１側の端部に設けられる。突出片７２Ｂは、例えばタンジェンシャル方向における突出片７１Ｂよりも第１ハウジング８１から離れる側に設けられる。
【００４２】
アクチュエータ７は、レンズホルダ６１をフォーカス方向及びトラッキング方向に変位させる装置である。尚、アクチュエータ７については、後述する。
【００４３】
ハウジング８００には、アクチュエータ７、レンズホルダ６１、第１光学系の光学素子、第２光学系の光学素子が載置される。尚、ハウジング８００については後述する。
【００４４】
＝＝＝アクチュエータ＝＝＝
以下、図３を参照して、本実施形態におけるアクチュエータについて説明する。  
アクチュエータ７は、レンズホルダ６１をフォーカス方向及びトラッキング方向に変位させる装置である。アクチュエータ７は、第１フォーカスコイル６４Ａ、６４Ｂ、第２フォーカスコイル６５Ａ、６５Ｂ、トラッキングコイル６７Ａ、６７Ｂ、６８Ａ、６８Ｂ、サスペンションワイヤ６３Ａ、６３Ｂ、マグネット７４Ａ、７４Ｂ、７５Ａ、７５Ｂ、支持体７４１、回路基板７７を有する。
【００４５】
第１フォーカスコイル６４Ａ、６４Ｂ、第２フォーカスコイル６５Ａ、６５Ｂは、レンズホルダ６１をフォーカス方向に変位させる電磁力を発生するためのコイルである。第１フォーカスコイル６４Ａ、６４Ｂは、例えば、レンズホルダ６１をフォーカス方向に変位させるためのフォーカス信号が供給される一本の導電線を、フォーカス方向を軸に巻回して形成された一対のコイルである。第１フォーカスコイル６４Ａ、６４Ｂは夫々、レンズホルダ６１における脚板６１Ａの外側（−Ｘ）の面、脚板６１Ｂにおける外側（＋Ｘ）の面に取り付けられる。第２フォーカスコイル６５Ａ、６５Ｂは、例えば、レンズホルダ６１をフォーカス方向に変位させるためのフォーカス信号が供給される一本の導電線を、フォーカス方向を軸に巻回して形成された一対のコイルである。第２フォーカスコイル６５Ａ、６５Ｂは夫々、レンズホルダ６１における脚板６１Ａの外側の面、脚板６１Ｂにおける外側の面に取り付けられる。
【００４６】
トラッキングコイル６７Ａ、６７Ｂ、６８Ａ、６８Ｂは、レンズホルダ６１をトラッキング方向に変位させる電磁力を発生するためのコイルである。トラッキングコイル６７Ａ、６７Ｂ、６８Ａ、６８Ｂは、例えば、レンズホルダ６１をトラッキング方向に変位させるためのトラッキング信号が供給される一本の導電線を、タンジェンシャル方向を軸に巻回したコイルである。トラッキングコイル６７Ａ、６８Ａは、脚板６１Ａの外側の面に取り付けられ、トラッキングコイル６７Ｂ、６８Ｂは、脚板６１Ｂの外側の面に取り付けられる。トラッキングコイル６７Ａ、６７Ｂは、タンジェンシャル方向における第１ハウジング８１に近い側の端（＋Ｙ）に取り付けられる。トラッキングコイル６８Ａ、６８Ｂは、タンジェンシャル方向における第１ハウジング８１から遠い側の端（−Ｙ）に取り付けられる。
【００４７】
マグネット７４Ａ、７４Ｂ、７５Ａ、７５Ｂは、レンズホルダ６１をフォーカス方向及びトラッキング方向に変位させるための磁束を発生する磁性体である。マグネット７４Ａ、７４Ｂは夫々、タンジェンシャル方向においてトラッキングコイル６７Ａ、６７Ｂと対向するように、アクチュエータ７の基台（不図示）上に設けられる。マグネット７５Ａ、７５Ｂは夫々、タンジェンシャル方向においてトラッキングコイル６８Ａ、６８Ｂと対向するように、アクチュエータ７の基台上に設けられる。つまり、タンジェンシャル方向におけるマグネット７４Ａ、７５Ａの間には、トラッキングコイル６７Ａ、６８Ａ、第１フォーカスコイル６４Ａ、第２フォーカスコイル６５Ａが設けられることとなる。又、タンジェンシャル方向におけるマグネット７４Ｂ、７５Ｂの間には、トラッキングコイル６７Ｂ、６８Ｂ、第１フォーカスコイル６４Ｂ、第２フォーカスコイル６５Ｂが設けられることとなる。
【００４８】
回路基板７７は、フォーカス信号及びトラッキング信号を出力する基板であり、タンジェンシャル方向において支持体７４１のレンズホルダ６１とは反対側に取り付けられる。
【００４９】
支持体７４１は、アクチュエータ７の基台に対して回路基板７７を固定するための部材である。
【００５０】
サスペンションワイヤ６３Ａ、６３Ｂは、レンズホルダ６１がトラッキング方向及びフォーカス方向に変位できるように、それぞれレンズホルダ６１の各側面に配置されてレンズホルダ６１を弾性支持する。サスペンションワイヤ６３Ａ、６３Ｂは、レンズホルダ６１をトラッキング方向及びフォーカス方向に変位させるためのフォーカス信号及びトラッキング信号を送信する信号線としても機能する。サスペンションワイヤ６３Ａ、６３Ｂは、夫々例えば３本のワイヤを有する。サスペンションワイヤ６３Ａ、６３Ｂの一端は夫々、支持体７４１に対して例えばダンプ剤等を用いて制振支持されると共に、回路基板７７に例えば半田等を用いて電気的に接続される。サスペンションワイヤ６３Ａ、６３Ｂの他端は夫々、レンズホルダ６１の突出板７１Ａ、７１Ｂに対して例えば接着剤で固定される共に、トラッキングコイル６７Ａ、６７Ｂ、第１フォーカスコイル６４Ａ、６４Ｂ、第２フォーカスコイル６５Ａ、６５Ｂに例えば半田等を用いて電気的に接続される。更に、サスペンションワイヤ６３Ａ、６３Ｂは夫々、レンズホルダ６１がサスペンションワイヤ６３Ａ、６３Ｂによって確実に弾性支持されるように、レンズホルダ６１の突出板７２Ａ、７２Ｂに対しても例えば接着剤で固定される。サスペンションワイヤ６３Ａのうち、例えば、上側（＋Ｚ）及び下側（−Ｚ）のサスペンションワイヤの他端は夫々、一対の第１フォーカスコイル６４Ａ、６４Ｂの両端に接続される。サスペンションワイヤ６３Ｂのうち、例えば、上側及び下側のサスペンションワイヤの他端は夫々、一対の第２フォーカスコイル６５Ａ、６５Ｂの両端に接続される。サスペンションワイヤ６３Ａにおける、上側及び下側のサスペンションワイヤの間の中央のサスペンションワイヤの他端は、トラッキングコイル６７Ａの一端に接続される。サスペンションワイヤ６３Ｂにおける、上側及び下側のサスペンションワイヤの間の中央のサスペンションワイヤの他端は、トラッキングコイル６７Ｂの一端に接続される。尚、例えば、トラッキングコイル６７Ａの一端、トラッキングコイル６７Ｂの一端は、トラッキングコイル６７Ａ、６７Ｂ、６８Ａ、６８Ｂを形成する一本の導電線の両端に対応するものとする。
【００５１】
＝＝＝ハウジング＝＝＝
以下、図３乃至図７を参照して、本実施形態におけるハウジングについて説明する。図４は、本実施形態に係る、光ディスクと対向する側から見た状態のハウジングを示す分解斜視図である。図５は、本実施形態に係る、光ディスクと対向する側とは反対側から見た状態のハウジングを示す分解斜視図である。図６は、本実施形態に係る、光ディスクと対向する側から見た状態のハウジングを示す斜視図である。図７は、本実施形態に係る、光ディスクと対向する側とは反対側から見た状態のハウジングを示す斜視図である。尚、図４乃至図７において、光ディスク５を回転させるためのスピンドルモータの回転軸５１Ｃは、説明の便宜上、一点鎖線で示されている。  
ハウジング８００は、第１ハウジング８１、第２ハウジング８２を有する。ハウジング８００は、第１ハウジング８１と第２ハウジング８２とを結合して形成される。
【００５２】
＝＝第１ハウジング＝＝
第１ハウジング８１には、第１レーザ光源１１、第２レーザ光源２１、回折格子１２、１／２波長板２２、第２ビームスプリッタ４１、第１ビームスプリッタ４２、ホログラム光学素子３３、アナモフィックレンズ３２、光検出器３１、フロントモニタダイオード４３が載置される。尚、回折格子１２、１／２波長板２２、第２ビームスプリッタ４１、第１ビームスプリッタ４２、ホログラム光学素子３３、アナモフィックレンズ３２が、第１及び第２光学部品を構成する部品のうちの所定部品に相当する。第１ハウジング８１は、第１レーザ光源１１における第１レーザダイオード１１１、１１２、第２レーザ光源２１における第２レーザダイオード２１１で発生する熱を放散できるように、例えば、マグネシウム、亜鉛等の金属で形成された金属製のハウジングである。第１ハウジング８１の体積は、例えば、第１レーザダイオード１１１、１１２、第２レーザダイオード２１１で発生する熱を確実に放熱できるような体積に設定される。尚、第１ハウジング８１の体積、放熱については後述する。第１ハウジング８１は、タンジェンシャル方向（Ｙ軸）及びトラッキング方向（Ｘ軸）において第２ハウジング８２と隣り合い、ハウジング８００の一部を形成する。第１ハウジング８１は、例えばトラッキング方向に沿って延びた細長い形状を呈している。トラッキング方向における第１ハウジング８１の回転軸５１Ｃから遠い側（＋Ｘ）の端部のタンジェンシャル方向の幅は、例えばハウジング８００の小型化のために、回転軸５１Ｃから離れるにつれて短くなっている。第１ハウジング８１は、底板８１８の光ディスク５側（＋Ｚ）の面の一部が露出して、ハウジング８００に窪み８１７（図６）が形成されるような形状を呈している。第１ハウジング８１は、底板８１８、壁体２１２乃至２１４、突片９１１、突起８１１、８１２（嵌合部材）、溝８１Ｂ、８１Ｃ、８１Ｄ（図５）、８１Ｅを有している。尚、第１ハウジング８１は、例えば金型を用いて鋳造により一体的に成型されるものとする。
【００５３】
底板８１８は、第１ハウジング８１の底を形成している。トラッキング方向における底板８１８の回転軸５１Ｃから遠い側（＋Ｘ）の一部には、トラッキング方向に沿って延びた孔８１９が設けられる。孔８１９は、例えば、ハウジング８００の窪み８１７（図６）内に第１レーザ光源１１を配設する際に、第１ハウジング８１に対する第１レーザ光源１１の位置決めを行うのに用いられる。トラッキング方向における底板８１８の長さは、トラッキング方向における第１領域２２１の回転軸５１Ｃから遠い側（＋Ｘ）の縁から第２領域２２２の回転軸５１Ｃから遠い側の縁までの長さＤ１（図６）よりも例えば長くなるように設定される。よって、トラッキング方向における底板８１８の回転軸５１Ｃに近い側（−Ｘ）の端部２１５と、第２ハウジング８２における天板８４１の結合部材９２２が設けられている一部２２３（図５）とは、フォーカス方向に沿って対向した状態で互いに重なり合うことなる。尚、第２ハウジング８２については後述する。
【００５４】
壁体２１２乃至２１４は、第１ハウジング８１の内部と第１ハウジング８１の外部とを区画している。壁体２１２乃至２１４は、フォーカス方向における底板８１８の光ディスク５側の面から光ディスク５側（＋Ｚ）に向かって立ち上がるように、底板８１８に設けられる。
【００５５】
壁体２１３は、タンジェンシャル方向における底板８１８の第２ハウジング８２とは反対側（＋Ｙ）の端部に設けられる。更に、壁体２１３は、トラッキング方向に略沿うように設けられる。つまり、壁体２１３は、タンジェンシャル方向において、ハウジング８００の内部とハウジング８００の外部とを区画するための壁としても機能することとなる。壁体２１３には、タンジェンシャル方向において第１ハウジング８１の第２ハウジング８２とは反対側（＋Ｙ）から第２ハウジング８２側（−Ｙ）に向かって抉られたような形状の窪み８１３、８１５が形成される。窪み８１３は、第１ハウジング８１に対してアナモフィックレンズ３２、光検出器３１を取り付けるのに用いられる。窪み８１３は、例えば、第１及び第２レーザ光の反射光がアナモフィックレンズ３２に入射するように、第１ハウジング８１に対してアナモフィックレンズ３２を固定できるような形状を呈する。窪み８１３は、アナモフィックレンズ３２が窪み８１３に嵌るように、アナモフィックレンズ３２の外形に沿った形状を呈する。窪み８１３内には、第１ビームスプリッタ４２からアナモフィックレンズ３２までの第２光路の一部が形成されるように、貫通孔８１４が設けられる。窪み８１５は、第１ハウジング８１に対して第２レーザ光源２１を取り付けるのに用いられる。窪み８１５は、第２ビームスプリッタ４１に対して第２レーザ光源２１が第２レーザ光を出射できるように、第１ハウジング８１に対して第２レーザ光源２１を固定できるような形状を呈する。窪み８１５は、第２レーザ光源２１が窪み８１５に嵌るように、第２レーザ光源２１の外形に沿った形状を呈する。第１ハウジング８１に固定された第２レーザ光源２１は、壁体２１３と接触することとなる。そして、第２レーザ光源２１の第２レーザダイオード２１１で発生した熱は、第１ハウジング８１に伝達されることとなる。窪み８１５内には、第２レーザ光源２１から第２ビームスプリッタ４１までの第１光路の一部が形成されるように、貫通孔８１６が設けられる。
【００５６】
壁体２１４は、トラッキング方向における底板８１８の回転軸５１Ｃから遠い側（＋Ｘ）の端部に設けられる。壁体２１４は、例えば壁体２１３の＋Ｘ側の端部から連続するとともに、タンジェンシャル方向に略沿うように設けられる。つまり、壁体２１４は、トラッキング方向において、ハウジング８００の内部とハウジング８００の外部とを区画するための壁としても機能することとなる。
【００５７】
壁体２１２は、タンジェンシャル方向における底板８１８の第２ハウジング８２側（−Ｙ）の端部に設けられる。壁体２１２は、例えば壁体２１４の−Ｙ側の端部から連続するとともに、トラッキング方向に略沿うように設けられる。つまり、壁体２１２は、タンジェンシャル方向において、ハウジング８００における第１ハウジング８１と第２ハウジング８２とを区画するための壁としても機能することとなる。トラッキング方向における壁体２１２の長さは、第１ハウジング８１と第２ハウジング８２とを結合したときにハウジング８００内に開口２３１（図６）が形成されるように、トラッキング方向における第１ハウジング８１の長さの略半分の長さに設定される。タンジェンシャル方向における第２ハウジング８２側の端部２１６は、露出することとなる。そして、開口２３１によって、例えば第１ビームスプリッタ４２と１／４波長板４４との間の第１及び第２光路が形成されることとなる。尚、トラッキング方向における底板８１８の回転軸５１Ｃ側の端部２１５には、壁体が設けられていないので、当該端部２１５は露出することとなる。
【００５８】
そして、前述したように、壁体２１２乃至２１４が底板８１８から光ディスク５側に向かって立ちあがっているので、第１ハウジング８１と第２ハウジング８２とを結合したときに、ハウジング８００における光ディスク５側（＋Ｚ）に窪み８１７が形成されることとなる。尚、タンジェンシャル方向における壁体２１２の内側（＋Ｙ）の面と、壁体２１３の内側（−Ｙ）の面との間の距離は、第１レーザ光源１１を窪み８１７内に配設したときの、タンジェンシャル方向における第１レーザ光源１１の幅よりも長くなるように設定されている。更に、タンジェンシャル方向における壁体２１２の内側の面と、壁体２１３の内側の面との間の距離は、第１レーザ光源１１を窪み８１７内に配設したときに、第１レーザ光源１１がタンジェンシャル方向における第１レーザ光源１１の両側（−Ｙ、＋Ｙ）から壁体２１２、２１３によって挟まれるような距離となるように設定される。窪み８１７内に配設された第１レーザ光源１１は、第１ハウジング８１の壁体２１２、２１３と接触することとなる。そして、第１レーザ光源１１の第１レーザダイオード１１１、１１２で発生した熱は、第１ハウジング８１に伝達されることとなる。
【００５９】
突片９１１は、第１ハウジング８１と第２ハウジング８２とを結合するための部材である。突片９１１は、例えば略矩形形状を呈する。突片９１１は、壁体２１２の外側の面（−Ｙ）から、タンジェンシャル方向において第２ハウジング８２に向かって突出するように、壁体２１２の外側の面に設けられる。尚、突片９１１は、例えば、トラッキング方向における底板８１８の回転軸５１Ｃから遠い側の端部と一体的に形成されることとしてもよい。突片９１１は、突片９１１のフォーカス方向における光ディスク５側（＋Ｚ）の面と、第２ハウジング８２の結合部材９２１のフォーカス方向における光ディスク５とは反対側（−Ｚ）の面とが、フォーカス方向に沿って対向する位置に設けられる。そして、突片９１１と結合部材９２１とは、フォーカス方向に沿って互いに重なり合うこととなる。尚、結合部材９２１については後述する。
【００６０】
突起８１１は、第１ハウジング８１と第２ハウジング８２とを結合するための部材である。突起８１１は、フォーカス方向において光ディスク５側（＋Ｚ）に向かって突出するように、突片９１１のフォーカス方向における光ディスク５側の面（対向面）に設けられる。突起８１１は、結合部材９２１に設けられている嵌入孔８２１（嵌合部材）に対して、突起８１１を先端から嵌入することができるような形状を呈する。尚、突起８１１は、第１ハウジング８１と第２ハウジング８２とが結合されるときに嵌入孔８２１と対向する位置に設けられる。
【００６１】
突起８１２は、突起８１１と対となって、第１ハウジング８１と第２ハウジング８２とを結合するための部材である。突起８１２は、底板８１８における端部２１５の、天板８４１と対向する側（＋Ｚ）の面（対向面）に設けられる。更に、突起８１２は、フォーカス方向において光ディスク５側に向かって突出するように、天板８４１と対向する側の面における＋Ｙ側の端に設けられる。尚、壁体２１３の回転軸５１Ｃに近い側（−Ｘ）の端部は、突起８２１を避けるように、内側（−Ｙ）から外側（＋Ｙ）に向かって抉られたような形状を呈している。突起８１２は、結合部材９２２に設けられている嵌入孔８２２（嵌合部材）に対して、突起８１２を先端から嵌入することができるような形状を呈する。尚、突起８１２は、第１ハウジング８１と第２ハウジング８２とが結合されるときに嵌入孔８２２と対向する位置に設けられる。
【００６２】
溝８１Ｂ、８１Ｃ、８１Ｄ、８１Ｅは、第１ハウジング８１と第２ハウジング８２とを結合するための接着剤が塗布される溝である。溝８１Ｂ、８１Ｃ、８１Ｄ、８１Ｅは夫々、溝８２Ｂ、８２Ｃ、８２Ｄ、８２Ｅと一体となって第１乃至第４の溝を形成する。尚、第１乃至第４の溝については、後述する。溝８１Ｂ、８１Ｃは、第１ハウジング８１における光ディスク５側（＋Ｚ）の面に形成される。溝８１Ｄ、８１Ｅは、第１ハウジング８１における光ディスク５とは反対側（−Ｚ）の面に形成される。溝８１Ｂ、８１Ｃ、８１Ｄ、８１Ｅは、溝８１Ｂ、８１Ｃ、８１Ｄ、８１Ｅ内に接着剤が塗布されたときに、第１ハウジング８１と第２ハウジング８２とが強固に固定される位置に設けられる。
【００６３】
溝８１Ｂは、壁体２１２の光ディスク５側の面における回転軸５１Ｃから遠い側（＋Ｘ）の端部に設けられる。更に、溝８１Ｂは、第２ハウジング８２の溝８２Ｂと一体となって一つの溝（以下、「第１の溝」とも称する）が形成されるように、タンジェンシャル方向における第２ハウジング８２側の端に設けられる。尚、第２ハウジング８２の天板８４１における光ディスク５側の面の、第１の溝が形成される位置には、溝８２Ｂが形成される。
【００６４】
溝８１Ｃは、壁体２１３の光ディスク５側の面における回転軸５１Ｃに近い側（−Ｘ）の端部に設けられる。更に、溝８１Ｃは、第２ハウジング８２の溝８２Ｃと一体となって一つの溝（以下、「第２の溝」とも称する）が形成されるように、突起８１２を避けるように抉られて形成された、回転軸５１Ｃから離れる方向、及び、第２ハウジング８２から離れる方向に抉られた隅に設けられる。尚、第２ハウジング８２の天板８４１における光ディスク５側の面の、第２の溝が形成される位置には、溝８２Ｃが形成される。
【００６５】
溝８１Ｄは、突片９１１の光ディスク５とは反対側の面の、トラッキング方向における回転軸５１Ｃから遠い側の端部に設けられる。更に、溝８１Ｄは、第２ハウジング８２の溝８２Ｄと一体となって一つの溝（以下、「第３の溝」とも称する）が形成されるように、タンジェンシャル方向における第２ハウジング８２側の端に設けられる。尚、第２ハウジング８２の壁体２２９における光ディスク５とは反対側の面の、第３の溝が形成される位置には、溝８２Ｄが形成される。
【００６６】
溝８１Ｅは、底板８１８の光ディスク５とは反対側の面の、トラッキング方向における回転軸５１Ｃに近い側の端部に設けられる。更に、溝８１Ｅは、第２ハウジング８２の溝８２Ｅと一体となって一つの溝（以下、「第４の溝」とも称する）が形成されるように、トラッキング方向における回転軸５１Ｃ側の端に設けられる。尚、第２ハウジング８２の底板８４２における光ディスク５とは反対側の面の、第４の溝が形成される位置には、溝８２Ｅが形成される。
【００６７】
＝＝第２ハウジング＝＝
第２ハウジング８２は、レンズホルダ６１、アクチュエータ７、１／４波長板４４、コリメートレンズ４５、第１立ち上げミラー４６、第２立ち上げミラー４７が載置される樹脂製のハウジングである。尚、１／４波長板４４、コリメートレンズ４５、第１立ち上げミラー４６、第２立ち上げミラー４７が、第１及び第２光学部品を構成する部品のうちの所定部品を除く部品に相当する。第２ハウジング８２は、タンジェンシャル方向（Ｙ軸）及びトラッキング方向（Ｘ軸）において第１ハウジング８１と隣り合い、ハウジング８００の一部を形成する。第２ハウジング８２は、タンジェンシャル方向において第１ハウジング８１と隣り合う第１領域２２１と、トラッキング方向において第１ハウジング８１と隣り合う第２領域２２２を有している。第２領域２２２は、第１領域２２１の第１ハウジング８１と隣り合う端部２２６から、タンジェンシャル方向においてシャフト５１１側（＋Ｙ）に向かって突出するような形状を呈する。更に、第２領域２２２は、端部２２６におけるトラッキング方向の回転軸５１Ｃ側（−Ｘ）の一部から第１ハウジング８１を避けるように突出するような形状を呈する。トラッキング方向における第１領域２２１の回転軸５１Ｃ側（−Ｘ）の端部は、例えば、スピンドルモータ（不図示）を回避するように所定の曲率をもって抉られた形状を呈する。トラッキング方向における第１領域２２１の回転軸５１Ｃから遠い側（＋Ｘ）の端部のタンジェンシャル方向の幅は、例えばハウジング８００の小型化のために、回転軸５１Ｃから離れるにつれて短くなっている。第２ハウジング８２は、底板８４２の光ディスク５側（＋Ｚ）の面の一部が露出して、ハウジング８００の光ディスク５側に窪み８４３（図６）が形成されるような形状を呈している。更に、第２ハウジング８２は、天板８４１の光ディスク５とは反対側（−Ｚ）の面の一部が露出して、ハウジング８００の光ディスク５とは反対側に窪み８４４（図７）が形成されるような形状を呈している。第２ハウジング８２は、天板８４１、底板８４２、結合部材９２１、９２２、軸受５１乃至５３、溝８２Ｂ、８２Ｃ、８２Ｄ、８２Ｅを有している。尚、第２ハウジング８２は、例えば金型を用いて一体的に成型されるものとする。
【００６８】
底板８４２は、第２ハウジング８２の底を形成している。底板８４２における窪み８４３の底として機能している一部には、孔８３Ａ、８３Ｂが設けられる。孔８３Ａ、８３Ｂは、例えば、ハウジング８００の窪み８４３内にアクチュエータ７を配設する際に、第２ハウジング８２に対するアクチュエータ７の位置決めを行うのに用いられる。底板８４２は、天板８４１の光ディスク５とは反対側の面における第１ハウジング８１と隣り合う側の一部、及び、結合部材９２２が設けられている一部２２３を連続的に露出させるような形状を呈する。
【００６９】
天板８４１は、第２ハウジング８２の光ディスク５と対向する天面を形成している。天板８４１は、第２ハウジング８２の略中央に窪み８４３が形成されるような形状を呈する。窪み８４３には、アクチュエータ７、レンズホルダ６１、第１立ち上げミラー４６、第２立ち上げミラー４７が配設される。窪み８４３は、窪み８４３内の側壁２２７、及び、トラッキング方向において側壁２２７と対向する側壁によって、トラッキング方向における窪み８４３の内部と外部とが区画されている。窪み８４３は、窪み８４３内の側壁２２８によって、タンジェンシャル方向における窪み８４３の内部と外部とが区画されている。トラッキング方向における窪み８４３の側壁２２８とは反対側には、窪み８４３と窪み８４４とがタンジェンシャル方向において連通されるように、側壁が設けられていない状態となっている。尚、側壁２２７は、トラッキング方向において、窪み８４３と窪み８４４とを区画するための壁としても機能することとなる。又、側壁２２８、トラッキング方向において側壁２２７と対向する側壁は、ハウジング８００の内部とハウジング８００の外部とを区画するための壁としても機能することとなる。
【００７０】
更に、フォーカス方向における天板８４１の光ディスク５とは反対側（−Ｚ）の面には、壁体２２９が設けられる。壁体２２９は、第２ハウジング８２の内部と第２ハウジング８２の外部とを区画している。壁体２２９は、フォーカス方向において光ディスク５とは反対側に向かって立ち上がるように、天板８４１に設けられる。壁体２２９は、トラッキング方向における天板８４１の回転軸５１Ｃとは反対側（＋Ｘ）の端部に、タンジェンシャル方向に略沿うように設けられる。壁体２２９は、第１ハウジング８１と第２ハウジング８２とを結合したときに、壁体２２９の第１ハウジング８１側（＋Ｙ）の端部と、突片９１１とが接着されるように第１ハウジング８１側に向かって延びている。尚、壁体２２９と突片９１１との接着については、後述する。第１ハウジング８１と第２ハウジング８２とを結合した際、フォーカス方向におけるハウジング８００の光ディスク５とは反対側には、窪み８４４が形成されることとなる。窪み８４４には、例えば、１／４波長板４４、コリメートレンズ４５、コリメートレンズ４５をタンジェンシャル方向に移動させるための駆動装置（不図示）が配設される。窪み８４４は、窪み８４４内の側壁２５１、及び、壁体２２９によって、トラッキング方向における窪み８４４の内部と外部とが区画されている更に、窪み８４４は、タンジェンシャル方向において窪み８４４内で壁体２１２と対向している側壁によって、タンジェンシャル方向における窪み８４４の内部と外部とが区画されている。第１ハウジング８１と第２ハウジング８２とを結合したときに、前述の開口２３１が形成されるので、窪み８４４と窪み８１７（図６）とは、タンジェンシャル方向において連通されることとなる。つまり、タンジェンシャル方向において、窪み８１７、８４４、８４３は、連通されることとなる。尚、側壁２５１、壁体２２９は、トラッキング方向において、ハウジング８００の内部とハウジング８００の外部とを区画するための壁としても機能することとなる。タンジェンシャル方向において窪み８４４内で壁体２１２と対向している側壁は、タンジェンシャル方向において、ハウジング８００の内部とハウジング８００の外部とを区画するための壁としても機能することとなる。
【００７１】
結合部材９２１は、第１ハウジング８１と第２ハウジング８２とを結合するための部材である。結合部材９２１は、第１ハウジング８１と第２ハウジング８２とを結合するときに、フォーカス方向に沿って、突片９１１と互いに重なり合う位置に設けられる。結合部材９２１は、例えば、トラッキング方向における天板８４１の回転軸５１Ｃから遠い側（＋Ｘ）の端部に設けられる。更に、結合部材９２１は、例えば、タンジェンシャル方向における第１ハウジング８１側（＋Ｙ）の端に設けられる。尚、天板８４１の一部に結合部材９２１を天板８４１と一体的に形成してもよい。結合部材９２１における突片９１１と対向する側（−Ｚ）の面（対向面）には、嵌入孔８２１が形成される。嵌入孔８２１は、突起８１１が嵌入される孔である。
【００７２】
結合部材９２２は、結合部材９２１と対となって、第１ハウジング８１と第２ハウジング８２とを結合するための部材である。結合部材９２２は、例えば略矩形柱形状を呈する。結合部材９２２は、第１ハウジング８１と第２ハウジング８２とを結合するときに、フォーカス方向に沿って、底板８１８における端部２１５の突起８１２が形成されている一部と互いに重なり合う位置に設けられる。結合部材９２２は、天板８４１の一部２２３における、底板８１８と対向する側（−Ｚ）の面に設けられる。更に、結合部材９２２は、例えば、タンジェンシャル方向における第１ハウジング８１側の端に設けられる。結合部材９２２における底板８１８と対向する側（−Ｚ）の面（対向面）には、嵌入孔８２２が形成される。嵌入孔８２２は、突起８１２が嵌入される孔である。従って、第１ハウジング８１と第２ハウジング８２とが結合される際の、第１ハウジング８１と第２ハウジング８２との相対位置は、突起８１１、８１２夫々を嵌入孔８２１、８２２へ嵌入することによって決定されることとなる。
【００７３】
尚、第１ハウジング８１と第２ハウジング８２とを結合したときに、タンジェンシャル方向おける第２ハウジング８２の第１ハウジング８１と隣り合う端部と、トラッキング方向おける第２ハウジング８２の第１ハウジング８１と隣り合う端部とが第２対向辺に相当する。つまり、例えば、結合部材９２２（図５）、天板８４１の結合部材９２２が設けられている一部２２３、端部２２６、結合部材９２１が第２対向辺に相当する。又、第１ハウジング８１と第２ハウジング８２とを結合したときに、タンジェンシャル方向おける第１ハウジング８１の第２ハウジング８２と隣り合う端部と、トラッキング方向おける第１ハウジング８１の第２ハウジング８２と隣り合う端部とが第１対向辺に相当する。つまり、例えば、突片９１１（図４）、壁体２１２、底板８１８における壁体２１２が設けられていない端部２１６、底板８１８の端部２１５が第１対向辺に相当する。前述したように、突片９１１、端部２１５夫々と、結合部材９２１、天板８４１の結合部材９２２が設けられている一部２２３とは、光ディスク５のフォーカス方向に沿って互いに重なり合って結合される。従って、第１対向辺の一部と、第２対向辺の一部とが光ディスク５のフォーカス方向に沿って互いに重なり合って結合されることとなる。
【００７４】
軸受５１乃至５３は、シャフト５１０、５１１を支持するための部材である。尚、シャフト５１０、５１１は、光ディスク５のラジアル方向（Ｘ軸）に沿って光ピックアップ装置１００を移動させるための、ラジアル方向に沿って延びる棒部材である。シャフト５１０、５１１は、タンジェンシャル方向においてハウジング８００がシャフト５１０、５１１の間に設けられるように、タンジェンシャル方向におけるハウジング８００の両側（＋Ｙ、−Ｙ）に設けられる。
【００７５】
軸受５１、５２は、タンジェンシャル方向における第１ハウジング８１とは反対側（−Ｙ）の側面８２Ａに設けられる。軸受５１、５２には夫々、シャフト５１０を支持するためにシャフト５１０が挿通される孔５１Ａ、５２Ａが形成されている。軸受５３は、タンジェンシャル方向における軸受５１、５２とは反対側（−Ｙ）の側面８２Ｆに設けられる。軸受５３には、シャフト５１１を支持するためのＵ溝５３Ａが形成されている。孔５１Ａ、５２Ａに対してシャフト５１０が挿通され、Ｕ溝５３Ａに対してシャフト５１１が取り付けることによって、シャフト５１０、５１１が支持されることとなる。つまり、軸受５１及び５２と、軸受５３とは夫々、タンジェンシャル方向における第１領域２２１の第２領域２２２とは反対側の端部、第２領域２２２の第１領域２２１とは反対側の端部に設けられて、一対のシャフト５１０、５１１を支持する支持部材として機能することとなる。
【００７６】
＝＝＝第１ハウジングと第２ハウジングとの結合＝＝＝
以下、図４乃至図７を参照して、本実施形態における第１ハウジングと第２ハウジングとの結合について説明する。
【００７７】
第１ハウジング８１と第２ハウジング８２とは、接着剤で結合される。例えば、結合部材９２１、９２２における底板８１８と対向する面に第１の接着剤を塗布した状態で、突起８１１、８１２が夫々嵌入孔８２１、８２２に嵌入される。突起８１１、８１２が夫々嵌入孔８２１、８２２に嵌入されることによって、第１ハウジング８１と第２ハウジング８２との相対位置が決定される。つまり、第１ハウジング８１と第２ハウジング８２とは、フォーカス方向に沿って結合されることとなる。尚、第１の接着剤としては、例えば、熱に応じて硬化する熱硬化性の接着剤が用いられる。第１ハウジング８１と第２ハウジング８２との相対位置が決定された後、第１乃至第４の溝に第２の接着剤が塗布される。尚、第２の接着剤としては、例えば、紫外線の照射量に応じて硬化する紫外線硬化性の接着剤が用いられる。第１乃至第４の溝に第２の接着剤が塗布された後、第１乃至第４の溝に塗布された第２の接着剤に対して紫外線が照射される。第１乃至第４の溝に塗布された第２の接着剤が硬化して、第１ハウジング８１と第２ハウジング８２とが互いに外れないように結合されることとなる。その後、結合部材９２１、９２２における底板８１８と対向する面に塗布された第１の接着剤が硬化するように、第１ハウジング８１及び第２ハウジング８２に熱が加えられる。結合部材９２１、９２２における底板８１８と対向する面に塗布された第１の接着剤が硬化して、第１ハウジング８１と第２ハウジング８２とは強固に結合されることとなる。
【００７８】
そして、第１ハウジング８１と第２ハウジング８２とが結合されたときに、タンジェンシャル方向において連通した窪み８１７、８４４、８４３がハウジング８００に形成されることとなる。そして、ハウジング８００内に第１及び第２光路が形成されることとなる。つまり、第１ハウジング８１と第２ハウジング８２とは、第１及び第２光路が形成されるように結合されることとなる。
【００７９】
＝＝＝光学部品の取り付け＝＝＝
以下、図３、図６、図７を参照して、本実施形態に係るハウジングへの光学部品の取り付けについて説明する。
【００８０】
例えば、第１レーザ光源１１、第２レーザ光源２１、回折格子１２、１／２波長板２２、第２ビームスプリッタ４１、第１ビームスプリッタ４２、ホログラム光学素子３３、アナモフィックレンズ３２、光検出器３１、フロントモニタダイオード４３は、第１ハウジング８１に設けられる。例えば、レンズホルダ６１、アクチュエータ７、１／４波長板４４、コリメートレンズ４５、第１立ち上げミラー４６、第２立ち上げミラー４７は、第２ハウジング８２に設けられる。尚、例えば、ハウジング８００に設けられる部品のうちコリメートレンズ４５以外の部品は、ハウジング８００に対して例えば接着剤等を用いて固定されることとする。
【００８１】
第１レーザ光源１１、回折格子１２、第２ビームスプリッタ４１、第１ビームスプリッタ４２、フロントモニタダイオード４３は、窪み８１７内に設けられる。第１レーザ光源１１、回折格子１２、第２ビームスプリッタ４１、第１ビームスプリッタ４２、フロントモニタダイオード４３は、トラッキング方向に沿って底板８１８上に載置される。尚、例えば、底板８１８に設けられている孔８１９は、底板８１８上に第１レーザ光源１１を載置したときに、第１レーザ光源１１の位置調整が可能であると共に、ハウジング８００の壁体２１２に第１レーザ光源１１を接着可能な大きさに設定されているものとする。
【００８２】
第１レーザ光源１１は、トラッキング方向における回転軸５１Ｃに近い側（−Ｘ）に向かって第１レーザ光を出射できるように、壁体２１２と壁体２１３との間に設けられる。このとき、前述したように、第１レーザ光源１１は、タンジェンシャル方向の両側（−Ｙ、＋Ｙ）から壁体２１２、２１３に挟まれて、壁体２１２、２１３に接着固定された状態となる。回折格子１２は、例えば、第１レーザ光源１１の第１レーザ光を出射する出射口に固定される。第２ビームスプリッタ４１は、第１レーザ光源１１から出射された第１レーザ光が入射されるように、第１レーザ光源１１及び回折格子１２よりも回転軸５１Ｃに近い側に設けられる。更に、第２ビームスプリッタ４１は、第２レーザ光源２１から出射された第２レーザ光が入射されるように、タンジェンシャル方向において壁体２１３の貫通孔８１６と対向する位置に設けられる。第１ビームスプリッタ４２は、第２ビームスプリッタ４１からの第１及び第２レーザが入射されるように、第２ビームスプリッタ４１よりも回転軸５１Ｃに近い側に設けられる。更に、第１ビームスプリッタ４２は、１／４波長板４４からの第１及び第２レーザ光の反射光が入射されるように、タンジェンシャル方向において開口２３１と対向する位置に設けられる。更に、第１ビームスプリッタ４２は、第１ビームスプリッタ４２を透過した第１及び第２レーザ光の反射光がホログラム光学素子３３、アナモフィックレンズ３２を介して光検出器３１に照射されるように、タンジェンシャル方向における貫通孔８１４と対向する位置に設けられる。フロントモニタダイオード４３は、第１ビームスプリッタ４２を透過した第１及び第２レーザ光の一部が照射されるように、第１ビームスプリッタ４２よりも回転軸５１Ｃに近い側に設けられる。
【００８３】
第２レーザ光源２１は、第２ビームスプリッタ４１に向かって第２レーザ光を出射できるように、壁体２１３の窪み８１５に嵌められて接着される。このとき、第２レーザ光源２１は、壁体２１３に当接することとなる。尚、例えば、第１ハウジング８１の底板８１８を、フォーカス方向において第２レーザ光源２１と対向する位置まで延ばして、第２レーザ光源２１が当該底板８１８上に載置されることとしてもよい。
【００８４】
１／２波長板２２は、第２レーザ光源２１からの第２レーザ光が入射するように、第２レーザ光源２１と第２ビームスプリッタ４１との間に設けられる。
【００８５】
アナモフィックレンズ３２は、第１及び第２レーザ光の反射光が入射するように、窪み８１３に嵌められる。尚、窪み８１３は、窪み８１３に嵌められたアナモフィックレンズ３２に対して第１及び第２レーザ光の反射光が入射する位置に設けられているものとする。
【００８６】
ホログラム光学素子３３は、第１ビームスプリッタ４２を透過した第１及び第２レーザ光の反射光が入射するように、第１ビームスプリッタ４２とアナモフィックレンズ３２との間に設けられる。
【００８７】
光検出器３１は、第１ビームスプリッタ４２を透過した第１及び第２レーザ光の反射光がホログラム光学素子３３、アナモフィックレンズ３２を介して照射されるように、タンジェンシャル方向におけるアナモフィックレンズ３２よりも＋Ｙ側に設けられる。尚、例えば、光検出器３１は、アナモフィックレンズ３２の光検出器３１と対向する側（＋Ｙ）の面に固定されることとしてもよい。又、例えば、第１ハウジング８１の底板８１８を、フォーカス方向において光検出器３１と対向する位置まで延ばして、光検出器３１が当該底板８１８上に載置されることとしてもよい。
【００８８】
レンズホルダ６１、アクチュエータ７、第１立ち上げミラー４６、第２立ち上げミラー４７は、窪み８４３内に設けられ、１／４波長板４４、コリメートレンズ４５は、窪み８４４内に設けられる。
【００８９】
レンズホルダ６１、アクチュエータ７、第１立ち上げミラー４６、第２立ち上げミラー４７、１／４波長板４４、コリメートレンズ４５は、タンジェンシャル方向に沿って設けられる。よって、レンズホルダ６１、アクチュエータ７、第１立ち上げミラー４６、第２立ち上げミラー４７、１／４波長板４４、コリメートレンズ４５、第１ビームスプリッタ４２、ホログラム光学素子３３、アナモフィックレンズ３２、光検出器３１は、ハウジング８００においてタンジェンシャル方向に沿うように設けられることとなる。
【００９０】
レンズホルダ６１及びアクチュエータ７は、第１対物レンズ６１１、第２対物レンズ６１２がタンジェンシャル方向に沿うように、窪み８４３内の底板８４２上に載置される。
【００９１】
第１立ち上げミラー４６、第２立ち上げミラー４７は夫々、底板８４２上における第１対物レンズ６１１、第２対物レンズ６１２と対向する位置に載置される。
【００９２】
コリメートレンズ４５は、第１ビームスプリッタ４２側からの第１及び第２レーザ光が入射されるとともに、第１対物レンズ６１１及び第２対物レンズ６１２側からの第１及び第２レーザ光の反射光が入射するように、タンジェンシャル方向における第１立ち上げミラー４６と第１ビームスプリッタ４２との間に設けられる。
【００９３】
１／４波長板４４は、第１ビームスプリッタ４２から第１及び第２レーザ光が入射されるとともに、コリメートレンズ４５から第１及び第２レーザ光の反射光が入射するように、タンジェンシャル方向におけるコリメートレンズ４５と第１ビームスプリッタ４２との間に設けられる。尚、コリメートレンズ４５、１／４波長板４４は、例えば、ハウジング８００における光ディスク５とは反対側から窪み８４４内に配設された後、下側（−Ｚ）に落下しないように保持されることとする。コリメートレンズ４５は、例えば、コリメートレンズ４５をタンジェンシャル方向に移動させるための駆動装置によって、第１立ち上げミラー４６と１／４波長板４４との間で、タンジェンシャル方向に移動させられるように保持されることとする。
【００９４】
＝＝＝第１ハウジングの体積、放熱＝＝＝
以下、図３を参照して、本実施形態に係る第１ハウジングの体積について説明する。  
第１レーザ光源１１は、第１レーザ光を出射するときに発熱する。これは、例えば、第１レーザ光源１１の第１レーザダイオード１１１、１１２が第１レーザ光を出射するときに、第１レーザダイオード１１１、１１２に供給される電流によって熱が発生するためである。尚、第２レーザ光源２１でも、第１レーザ光源１１と同様に、第２レーザ光を出射するときに発熱する。光ピックアップ装置１００では、第１レーザ光源１１又は第２レーザ光源２１で発生する熱によって、第１レーザダイオード１１１、１１２又は第２レーザダイオード２１１が劣化するのを防止するために、放熱を行う必要がある。第１ハウジング８１の体積は、第１レーザダイオード１１１、１１２、第２レーザダイオード２１１で発生する熱を、第１レーザダイオード１１１、１１２、第２レーザダイオード２１１の劣化が抑えられる程度放熱できる体積（以下、「レーザダイオードの劣化を抑えられる体積」と称する）とされる。尚、上記のレーザダイオードの劣化を抑えられる体積は、例えば実験等によって定められるものとする。
【００９５】
例えば、第１レーザダイオード１１１が第１レーザ光を出射したときに、第１レーザダイオード１１１で発生する熱は、第１ハウジング８１に伝わり放熱されることとなる。第１レーザダイオード１１２、第２レーザダイオード２１１が夫々第１及び第２レーザ光を出射したときに、第１レーザダイオード１１２、第２レーザダイオード２１１で発生する熱も、第１ハウジング８１に伝わり放熱されることとなる。
【００９６】
前述したように、第１レーザダイオード１１１、１１２は、第１レーザ光を出射する。第２レーザダイオード２１１は、第２レーザ光を出射する。第１対物レンズ６１１は、第１レーザ光を光ディスク５の信号記録面に集光させる。第２対物レンズ６１２は、第２レーザ光を光ディスク５の信号記録面に集光させる。光検出器３１は、光ディスク５で反射された第１及び第２レーザ光の反射光が照射される。第１光学部品は、第１レーザダイオード１１１、１１２から第１対物レンズ６１１へ第１レーザ光を案内し、第２レーザダイオード２１１から第２対物レンズ６１２へ第２レーザ光を案内する。第２光学部品は、第１対物レンズ６１１から光検出器３１へ第１レーザ光の反射光を案内し、第２対物レンズ６１２から光検出器３１へ第２レーザ光の反射光を案内する。第１レーザダイオード１１１、１１２、第２レーザダイオード２１１、光検出器３１、第１及び第２光学部品を構成する部品のうちの所定部品が、金属製の第１ハウジング８１に載置される。第１対物レンズ６１１、第２対物レンズ６１２、第１及び第２光学部品を構成する部品のうちの所定部品を除く部品が、樹脂製の第２ハウジング８２に載置される。第１ハウジング８１と第２ハウジング８２とは、第１及び第２光路が形成されるように結合される。第１レーザダイオード１１１、１１２、第２レーザダイオード２１１は、金属製の第１ハウジング８１に載置されるので、第１レーザダイオード１１１、１１２、第２レーザダイオード２１１で発生する熱（以下、「レーザダイオードで発生する熱」と称する）は、第１ハウジング８１に伝達される。従って、レーザダイオードで発生する熱が、第１ハウジング８１に放散されることとなる。つまり、放熱が可能なハウジング８００を備えた光ピックアップ装置１００を提供することができる。又、ハウジング８００は、金属製の第１ハウジング８１と樹脂製の第２ハウジング８２とを結合して形成されている。よって、例えば、樹脂に比べて材料費が高価な金属によって一体的に成型されたハウジングに比べて、ハウジング８００を、軽量且つ廉価とすることができる。つまり、比較的軽量な光ピックアップ装置１００を低コストで提供することができる。レーザダイオードで発生する熱は、第１ハウジング８１によって放散されることとなるので、例えば、レーザダイオードで発生する熱を放散するための金属製の放熱板等を、光ピックアップ装置１００を構成する部品として設ける必要がない。よって、コンパクトな光ピックアップ装置１００を提供することができる。更に、光ピックアップ装置１００を構成する部品点数を減らすことによって、光ピックアップ装置１００を組み立てる作業の効率化を図ることができる。つまり、光ピックアップ装置１００を構成する部品のコストを低減したり、光ピックアップ装置を組み立てる作業の効率化を図ったりすることによって、光ピックアップ装置１００の製造コストを低減することができる。
【００９７】
又、第１ハウジング８１における突片９１１、底板８１８の回転軸５１Ｃに近い側の端部２１５夫々と、第２ハウジング８２における結合部材９２１、天板８４１の結合部材９２２が設けられている一部２２３とは、光ディスク５のフォーカス方向に沿って互いに重なりあって結合される形状を呈している。例えば、第１ハウジング８１と第２ハウジング８２とが互いに近づくように、第１ハウジング８１と第２ハウジング８２とをフォーカス方向に沿って移動させることによって、第１ハウジング８１と第２ハウジング８２とを互いに確実に結合させるができる。従って、ハウジング８００の組み立てが容易となるために、組み立てが容易な光ピックアップ装置１００を提供することができる。
【００９８】
又、突片９１１における第２ハウジング８２と対向する側の面、端部２１５における第２ハウジング８２と対向する側の面には夫々、突起８１１、８１２が設けられる。結合部材９２１の第１ハウジング８１と対向する側の面、結合部材９２２の第１ハウジング８１と対向する側の面には夫々、嵌入孔８２１、８２２が設けられる。突起８１１、８１２を夫々、嵌入孔８２１、８２２に嵌入することによって、第１ハウジング８１及び第２ハウジング８２が結合される際の第１ハウジング８１及び第２ハウジング８２の相対位置が決定される。よって、第１ハウジング８１と第２ハウジング８２とが結合されるときの、第１ハウジング８１及び第２ハウジング８２の相対位置の精度を向上させることができる。従って、例えば第１ハウジング８１及び第２ハウジング８２の相対位置が変動するのを抑えて、精度良くハウジング８００を組み立てられるので、精度良く組み立てられる光ピックアップ装置１００を提供することができる。
【００９９】
又、第１ハウジング８１における突片９１１、底板８１８の回転軸５１Ｃに近い側の端部２１５夫々の第２ハウジング８２と対向する側の面と、第２ハウジング８２における結合部材９２１、結合部材９２２夫々の第１ハウジング８１と対向する側の面とは、接着剤で接着される。第１ハウジング８１と第２ハウジング８２とが互いに強固に結合されるので、ハウジング８００の強度を向上させて、耐久性に優れた光ピックアップ装置１００を提供することができる。
【０１００】
又、第２ハウジング８２は、光ディスク５のタンジェンシャル方向において第１ハウジング８１と隣り合う第１領域２２１と、光ディスク５のトラッキング方向において第１ハウジング８１と隣り合う第２領域２２２とを有する。タンジェンシャル方向における第１領域２２１の第２領域２２２とは反対側の端部と、タンジェンシャル方向における第２領域２２２の第１領域２２１とは反対側の端部とには、一対のシャフト５１０、５１１を支持する軸受５１乃至５３が設けられる。尚、シャフト５１０、５１１は、光ディスク５のラジアル方向に沿って光ピックアップ装置１００を移動させるための部材である。第１ハウジング８１は、タンジェンシャル方向において第１領域２２１と隣り合い、トラッキング方向において第２領域２２２と隣り合っている。よって、第１ハウジング８１を、例えば、タンジェンシャル方向及びトラッキング方向において第２ハウジング８２に対して強固に結合することができる。更に、第１ハウジング８１と第２ハウジング８２のうちの、第２ハウジング８２にのみ軸受５１乃至５３が設けられるので、シャフト５１０、５１１は、第２ハウジング８２のみによって支持されることとなる。よって、第２ハウジング８２の成型の精度で両シャフト５１０及び５１１に対する軸受５１、５２及び軸受５３の位置を形成でき、光ピックアップ装置１００を円滑にラジアル方向に沿って移動させることができる。
【０１０１】
又、第１ハウジング８１には、所定部品として、第１レーザダイオード１１１、１１２、第２レーザダイオード２１１と、光検出器３１とをそれぞれ別光路に分離する第１ビームスプリッタ４２が載置される。よって、第１ハウジング８１には、第１レーザダイオード１１１、１１２、第２レーザダイオード２１１、光検出器３１が載置されることとなる。従って、第１レーザダイオード１１１、１１２、第２レーザダイオード２１１から第１ビームスプリッタ４２までの光路長、及び、第１ビームスプリッタ４２から光検出器３１までの光路長の双方の光路長との関係を設定する光学素子である第１レーザダイオード１１１、１１２、第２レーザダイオード２１１、光検出器３１、第２ビームスプリッタ４１及び第１ビームスプリッタ４２が第１ハウジング８１のみに設置されることになる。ここで、例えば、ハウジング８００の熱変形等によって、第１レーザダイオード１１１、１１２、第２レーザダイオード２１１、光検出器３１の相対位置がずれることがある。このときも、第１及び第２レーザ光の光路のずれ、第１及び第２レーザ光の反射光の光路のずれを比較的小さくして、例えば、光ディスク５に記録されている情報の読み取りエラーを防ぐことができる。従って、第１レーザダイオード１１１、１１２、第２レーザダイオード２１１、光検出器３１の相対位置のずれに基づく、光ディスク５に記録されている情報の読み取りエラーを防げるような光ピックアップ装置１００を実現できるハウジング８００を提供することができる。
【０１０２】
又、第１ハウジング８１には、例えば６５５ｎｍ、７８５ｎｍ夫々の波長の第１レーザ光を出射する第１レーザダイオード１１１、１１２と、例えば４０５ｎｍの波長の第２レーザ光を出射する第２レーザダイオード２１１とが載置される。第１ハウジング８１には、所定部品として、第２ビームスプリッタ４１が更に載置される。第２ビームスプリッタ４１が、第１ハウジング８１に載置される。つまり、第１レーザダイオード１１１、１１２と、第２レーザダイオード２１１とがハウジング８１に載置されるので、第２ビームスプリッタ４１も第１ハウジング８１に載置することができる。例えば、第１ハウジング８１と第２ハウジング８２の熱膨張率の相違に基づいてハウジング８００が熱変形することがある。このとき、第１ハウジング８１に載置されている第１ビームスプリッタ４２、第１レーザダイオード１１１、１１２、第２レーザダイオード２１１、光検出器３１に対する第２ビームスプリッタ４１の相対位置のずれが比較的大きくずれるのが防止される。よって、ハウジング８００の熱変形に基づく第１及び第２レーザ光の光路のずれを比較的小さくして、例えば、光ディスク５に記録されている情報の読み取りエラーを確実に防ぐことができる。従って、光ディスク５に記録されている情報の読み取りエラーを防げるような光ピックアップ装置１００を実現できるハウジング８００を提供することができる。
【０１０３】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１０４】
本実施形態においては、第１ハウジング８１と第２ハウジング８２とを結合するために、結合部材９２１、９２２における底板８１８と対向する面に第１の接着剤を塗布し、第１乃至第４の溝に第２の接着剤を塗布する構成について説明したが、これに限られるものではない。例えば、ハウジング８００における接着剤を塗布する位置と、ハウジング８００の剛性との関係を例えば実験等で求めておき、第１ハウジング８１と第２ハウジング８２とを結合した後に、当該実験等で求められた接着剤を塗布する位置と剛性との関係に基づいて、接着剤を塗布することとしてもよい。その場合、第１ハウジング８１と第２ハウジング８２とを結合した後に、ハウジング８００の剛性の調整が可能となる。従って、ハウジング８００の剛性の調整が可能な使い勝手のよい光ピックアップ装置１００を提供することができる。
【符号の説明】
【０１０５】
５                                光ディスク
７                                アクチュエータ
１１                              第１レーザ光源
２１                              第２レーザ光源
３１                              光検出器
４１                              第２ビームスプリッタ
４２                              第１ビームスプリッタ
５１、５２、５３                  軸受
５１Ａ、５１Ｂ、８１４、８１６    貫通孔
８１                              第１ハウジング
８１Ｂ、８１Ｃ、８１Ｄ、８１Ｅ、８２Ｂ、８２Ｃ、８２Ｄ、８２Ｅ  溝
８２                              第２ハウジング
１００                            光ピックアップ装置
１１１、１１２                    第１レーザダイオード
２１１                            第２レーザダイオード
５１０、５１１                    シャフト
６１１                            第１対物レンズ
６１２                            第２対物レンズ
８００                            ハウジング
８１１、８１２                    突起
８１３、８１７、８１５、８２１、８２２、８４３、８４４  窪み
８１８、８４２                    底板
８２１、８２２                    嵌入孔
８４１                            天板
【図１】
2013254551.tif 000003
【図２】
2013254551.tif 000004
【図３】
2013254551.tif 000005
【図４】
2013254551.tif 000006
【図５】
2013254551.tif 000007
【図６】
2013254551.tif 000008
【図７】
2013254551.tif 000009